(57)【要約】【課題】  広告配信者が人手を介することなく広告コンテンツを収集することが可能な広告システムを実現する。【解決手段】  広告情報を収集するための広告情報収集装置において、広告主の電話端末４００から通信網５０を介して広告主関連情報及び音声広告情報を取得する音声情報取得部１２０と、広告主関連情報及び音声広告情報を互いに対応付けて格納する音声情報格納部１３０とを含むことを特徴とする。こうすることにより、広告配信者が人手を介することなく広告コンテンツを収集することが可能になる。【選択図】      図１
2008228275.tif 000002
【特許請求の範囲】
【請求項１】
広告情報を収集するための広告情報収集装置であって、
広告主から通信網を介して広告主関連情報及び音声広告情報を取得する情報取得手段と、
前記広告主関連情報及び音声広告情報を互いに対応付けて格納する格納手段とを含むことを特徴とする広告情報収集装置。
【請求項２】
前記通信網は、電話網であることを特徴とする請求項１記載の広告情報収集装置。
【請求項３】
前記広告主関連情報は、広告主の発信者電話番号であることを特徴とする請求項１または２記載の広告情報収集装置。
【請求項４】
前記情報取得手段は、広告主からの音声広告情報を録音することによって取得することを特徴とする請求項１から３のいずれかに記載の広告情報収集装置。
【請求項５】
広告情報を収集してこの収集した広告情報を提供する広告情報収集提供装置であって、
広告主から通信網を介して広告主関連情報及び音声広告情報を取得する情報取得手段と、
前記広告主関連情報及び音声広告情報を互いに対応付けて格納する格納手段と、
広告主関連情報の指定を含む広告情報の要求を受けて、この指定された広告主関連情報に対応する音声広告情報を読出して送信する情報提供手段とを含むことを特徴とする広告情報収集提供装置。
【請求項６】
前記通信網は、電話網であることを特徴とする請求項５記載の広告情報収集提供装置。
【請求項７】
前記情報取得手段は、広告主からの音声広告情報を録音することによって取得することを特徴とする請求項５または６記載の広告情報収集装置。
【請求項８】
前記広告主関連情報は、広告主の発信者電話番号であることを特徴とする請求項５から７のいずれかに記載の広告情報収集提供装置。
【請求項９】
前記情報提供手段は、前記広告主関連情報が発信者電話番号以外の情報であるとき、前記広告主関連情報を電話番号に変換することを特徴とする請求項５から７のいずれかに記載の広告情報収集提供装置。
【請求項１０】
前記情報提供手段は、前記音声広告情報を他の形態の情報に変換する手段を有することを特徴とする請求項５から９のいずれかに記載の広告情報収集提供装置。
【請求項１１】
前記他の形態の情報は、テキストデータであることを特徴とする請求項１０記載の広告情報収集提供装置。
【請求項１２】
広告情報を収集してこの収集した広告情報を提供する広告システムであって、
広告主から通信網を介して広告主関連情報及び音声広告情報を取得する情報取得手段と、
前記広告主関連情報及び音声広告情報を互いに対応付けて格納する格納手段と、
広告主関連情報の指定を含む広告情報の要求を受けて、この指定された広告主関連情報に対応する音声広告情報を読出して送信する情報提供手段とを含むことを特徴とする広告システム。
【請求項１３】
前記通信網は、電話網であることを特徴とする請求項１２記載の広告システム。
【請求項１４】
前記情報取得手段は、広告主からの音声広告情報を録音することによって取得することを特徴とする請求項１２または１３記載の広告システム。
【請求項１５】
前記広告主関連情報は、広告主の発信者電話番号であることを特徴とする請求項１２から１４のいずれかに記載の広告システム。
【請求項１６】
前記情報提供手段は、前記広告主関連情報が発信者電話番号以外の情報であるとき、前記広告主関連情報を電話番号に変換することを特徴とする請求項１２から１４のいずれかに記載の広告システム。
【請求項１７】
前記情報提供手段は、前記音声広告情報を他の形態の情報に変換する手段を有することを特徴とする請求項１２から１６のいずれかに記載の広告システム。
【請求項１８】
前記他の形態の情報は、テキストデータであることを特徴とする請求項１７記載の広告システム。
【請求項１９】
広告情報を収集するための広告情報収集方法であって、
広告主から通信網を介して広告主関連情報及び音声広告情報を取得する情報取得ステップと、
前記広告主関連情報及び音声広告情報を互いに対応付けて格納する格納ステップとを含むことを特徴とする広告情報収集方法。
【請求項２０】
前記通信網は、電話網であることを特徴とする請求項１９記載の広告情報収集方法。
【請求項２１】
前記広告主関連情報は、広告主の発信者電話番号であることを特徴とする請求項１９または２０記載の広告情報収集方法。
【請求項２２】
前記情報取得ステップは、広告主からの音声広告情報を録音することによって取得することを特徴とする請求項１９から２１のいずれかに記載の広告情報収集方法。
【請求項２３】
広告情報を収集してこの収集した広告情報を提供する広告情報収集提供方法であって、
広告主から通信網を介して広告主関連情報及び音声広告情報を取得する情報取得ステップと、
前記広告主関連情報及び音声広告情報を互いに対応付けて格納する格納ステップと、
広告主関連情報の指定を含む広告情報の要求を受けて、この指定された広告主関連情報に対応する音声広告情報を読出して送信する情報提供ステップとを含むことを特徴とする広告情報収集提供方法。
【請求項２４】
前記通信網は、電話網であることを特徴とする請求項２３記載の広告情報収集提供方法。
【請求項２５】
前記情報取得ステップは、広告主からの音声広告情報を録音することによって取得することを特徴とする請求項２３または２４記載の広告情報収集提供方法。
【請求項２６】
前記広告主関連情報は、広告主の発信者電話番号であることを特徴とする請求項２３から２５のいずれかに記載の広告情報収集提供方法。
【請求項２７】
前記情報提供ステップは、前記広告主関連情報が発信者電話番号以外の情報であるとき、前記広告主関連情報を電話番号に変換することを特徴とする請求項２３から２５のいずれかに記載の広告情報収集提供方法。
【請求項２８】
前記情報提供ステップは、前記音声広告情報を他の形態の情報に変換するステップを含むことを特徴とする請求項２３から２７のいずれかに記載の広告情報収集提供方法。
【請求項２９】
前記他の形態の情報が、テキストデータであることを特徴とする請求項２８記載の広告情報収集提供方法。
【請求項３０】
広告情報を収集するための広告情報収集装置の動作をコンピュータに実行させるためのプログラムであって、
広告主から通信網を介して広告主関連情報及び音声広告情報を取得する処理と、
前記広告主関連情報及び音声広告情報を互いに対応付けて格納する処理とを含むことを特徴とするプログラム。
【請求項３１】
広告情報を収集してこの収集した広告情報を提供する広告情報収集提供装置の動作をコンピュータに実行させるためのプログラムであって、
広告主から通信網を介して広告主関連情報及び音声広告情報を取得する処理と、
前記広告主関連情報及び音声広告情報を互いに対応付けて格納する処理と、
広告主関連情報の指定を含む広告情報の要求を受けて、この指定された広告主関連情報に対応する音声広告情報を読出して送信する処理とを含むことを特徴とするプログラム。
【発明の詳細な説明】
【技術分野】
【０００１】
本発明は広告情報収集装置及び広告情報収集提供装置並びにそれらを用いた広告システム及び方法に関し、特に通信網を利用して広告情報の収集及び提供をなす広告情報収集提供方式に関するものである。
【背景技術】
【０００２】
インターネットの普及に伴い、インターネットを介した広告提供が行われるようになってきている。従来のこのようなインターネットを介した広告システムの例を図８に示す。従来システムは、広告配信装置６００と、端末４００と、これら広告配信装置６００及び端末４００間を結ぶネットワーク６０とを含んで構成されている。ネットワーク６０の例としては、インターネットがあり、また、端末４００の例としては、インターネットに接続可能な計算機端末や携帯電話端末などである。
【０００３】
広告配信装置６００は、広告主からの広告情報を格納する機能を有する広告情報格納部６２０と、この広告情報格納部６２０内の広告情報を、端末４００からの指定に基づいて、検索して提供する機能を有する広告情報検索提供部６１０とを有している。この広告配信装置６００は、広告配信者により運用、管理され、ネットワーク６０を介して端末４００の利用者に広告情報を提供するものである。
【０００４】
以下に、広告配信者による広告配信装置６００を用いた広告配信処理の手順について具体的に説明する。以下では、広告の対象となる企業や組織のことを広告主と呼ぶ。先ず、広告配信者は、事前に、広告主の広告情報を収集し、広告情報格納部６２０に格納する。
【０００５】
ここで、広告情報は、広告主の名称や所在地といった属性である属性情報と、広告の内容である広告コンテンツから構成される。属性情報の例としては、名称、所在地、電話番号、メールアドレス、業種などがある。広告コンテンツは広告主から提供される。属性情報は広告主から提供されるか、または、電話帳や企業データベースなどの外部情報から参照される。
【０００６】
次に、広告配信者は広告配信装置６００による広告提供を行う。以下、広告配信装置６００による広告配信方法の例を説明する。広告配信装置６００の広告情報検索提供部６１０は、例えば、図９に示すように、広告情報格納部６２０内の広告主の名称、業種、電話番号と、その広告主の広告コンテンツへのリンクからなる項目のリストをＷｅｂコンテンツとして作成し、ネットワーク６０を介して端末４００に提供する。
【０００７】
図９の例では、詳細情報と記されたボタンが広告コンテンツへのリンクを意味するものとする。端末４００により、特定の広告主の広告コンテンツへのリンクが選択されると、広告情報検索提供部６１０は、広告情報格納部６２０内の対応する広告コンテンツを取得し、端末４００のユーザが参照可能な形式により端末４００に提供する。
【０００８】
なお、上記の広告配信方法は一例であり、例えば、広告情報検索提供部６１０が、広告検索のためのユーザインタフェースを提供したり、他のコンテンツとの広告を統合して提供する場合もある。
【０００９】
関連する技術として、特許文献１〜５に開示のものがある。
【特許文献１】特開２００２−１６３５５１号公報
【特許文献２】特開２００２−２５９８１９号公報
【特許文献３】特開２００３−２８３６５２号公報
【特許文献４】特開平０６−３３８９４８号公報
【特許文献５】特開平１０−２４２９６３号公報
【発明の開示】
【発明が解決しようとする課題】
【００１０】
図８に示した従来の広告配信装置６００では、広告配信者が広告主から広告コンテンツを取得するための手間が大きいという問題がある。広告コンテンツの取得のための具体的な方法としては、広告配信者が広告主を個別に訪問する、書面のやりとりをする、電話で口頭で伝え聞く、などがあるが、これらの方法では、人手で個別に対応する必要がある。
【００１１】
ＷｅｂなどのいわゆるＩＴ（Information Technology）技術を用いることにより、省力化が可能であるが、広告主がこれらの技術に習熟していない場合には使うことができない。
【００１２】
本発明の目的は、広告配信者が人手を介することなく広告コンテンツを収集することが可能な広告情報収集装置及び広告情報収集提供装置並びにそれらを用いた広告システム及び方法を実現することである。
【００１３】
本発明の他の目的は、広告主が特別なＩＴ技術を意識することなく、音声を用いることによって広告の提供を可能とした広告情報収集装置及び広告情報収集提供装置並びにそれらを用いた広告システム及び方法を提供することである。
【課題を解決するための手段】
【００１４】
本発明による広告情報収集装置は、広告主から通信網を介して広告主関連情報及び音声広告情報を取得する情報取得手段と、前記広告主関連情報及び音声広告情報を互いに対応付けて格納する格納手段とを含むことを特徴とする。
【００１５】
本発明による広告情報収集提供装置は、広告主から通信網を介して広告主関連情報及び音声広告情報を取得する情報取得手段と、前記広告主関連情報及び音声広告情報を互いに対応付けて格納する格納手段と、広告主関連情報の指定を含む広告情報の要求を受けて、この指定された広告主関連情報に対応する音声広告情報を読出して送信する情報提供手段とを含むことを特徴とする。
【００１６】
本発明による広告システムは、広告主から通信網を介して広告主関連情報及び音声広告情報を取得する情報取得手段と、前記広告主関連情報及び音声広告情報を互いに対応付けて格納する格納手段と、広告主関連情報の指定を含む広告情報の要求を受けて、この指定された広告主関連情報に対応する音声広告情報を読出して送信する情報提供手段とを含むことを特徴とする。
【００１７】
本発明による広告情報収集方法は、広告主から通信網を介して広告主関連情報及び音声広告情報を取得する情報取得ステップと、前記広告主関連情報及び音声広告情報を互いに対応付けて格納する格納ステップとを含むことを特徴とする。
【００１８】
本発明による広告情報収集提供方法は、広告主から通信網を介して広告主関連情報及び音声広告情報を取得する情報取得ステップと、前記広告主関連情報及び音声広告情報を互いに対応付けて格納する格納ステップと、広告主関連情報の指定を含む広告情報の要求を受けて、この指定された広告主関連情報に対応する音声広告情報を読出して送信する情報提供ステップとを含むことを特徴とする。
【００１９】
本発明によるプログラムは、広告情報を収集するための広告情報収集装置の動作をコンピュータに実行させるためのプログラムであって、広告主から通信網を介して広告主関連情報及び音声広告情報を取得する処理と、前記広告主関連情報及び音声広告情報を互いに対応付けて格納する処理とを含むことを特徴とする。
【００２０】
本発明による他のプログラムは、広告情報を収集してこの収集した広告情報を提供する広告情報収集提供装置の動作をコンピュータに実行させるためのプログラムであって、広告主から通信網を介して広告主関連情報及び音声広告情報を取得する処理と、前記広告主関連情報及び音声広告情報を互いに対応付けて格納する処理と、広告主関連情報の指定を含む広告情報の要求を受けて、この指定された広告主関連情報に対応する音声広告情報を読出して送信する処理とを含むことを特徴とするプログラム。
【発明の効果】
【００２１】
本発明によれば、広告配信者が人手を介さずに広告コンテンツを収集することが可能となると共に、広告主が特別なＩＴ技術を意識することなく、音声を用いることによって広告の提供が可能となるという効果がある。また、既存の電話網を用いる場合には、ＩＰ（Internet Protocol ）網に接続できる環境を有することも不要になる
【発明を実施するための最良の形態】
【００２２】
以下に、図面を用いて本発明の実施の形態について詳述する。本実施の形態では、広告コンテンツは、広告主からの音声メッセージとして提供、管理される。広告配信者は、広告登録用の電話番号を用意し、この電話番号を広告主に公開する。そして、広告主から、この電話番号に発信して、広告音声情報を受け、これを広告情報として登録する。
【００２３】
本実施の形態の主要システム構成を図１に示す。本実施の形態のシステムは、情報収集装置１００と、広告配信装置２００と、電話端末３００と、端末４００と、これら情報収集装置１００及び電話端末３００を接続する電話網５０と、広告配信装置２００及び端末４００を接続するネットワーク６０とを含んで構成されている。電話網５０の例としては、公衆電話網がある。ネットワーク６０の例としては、インターネットがある。
【００２４】
端末４００は、ネットワーク６０を介して広告配信装置２００とデータのやり取りを行うための機能を有する。端末４００の例としては、計算機端末や携帯電話端末がある。情報収集装置１００は、電話網５０を介して電話通信を行う機能及び電話着信時に電話網５０から発信番号情報を取得する機能を有する電話通信部１１０と、電話端末３００から音声情報を取得する機能を有する音声情報取得部１２０と、音声情報を格納する機能を有する音声情報格納部１３０と、外部からの要求に基づいて音声情報格納部１３０内の音声情報を提供する機能を有する音声情報提供部１４０とを有する。
【００２５】
広告配信装置２００は、広告主の属性情報を格納する機能を有する広告主情報格納部２２０と、端末４００からの指定に基づいて広告情報を検索、提供する機能を有する広告情報検索提供部２１０とを有している。
【００２６】
音声情報格納部１３０には、広告音声データが電話番号と対応付けられて格納される。図２及び図３に、音声情報格納部１３０における広告音声データの管理方法の例を示す。図２の例では、電話番号と音声データファイルが対で管理されている。図３の例では、音声データファイルのファイル名に電話番号が用いられている。音声情報格納部１３０における広告音声データの管理方法は、電話番号と音声データの関係が明確な方法であれば任意の方法であってよい。
【００２７】
次に、本実施の形態の広告配信システムにおける広告配信の処理の詳細について説明する。広告配信の処理は以下の２つから構成される。すなわち、（１）広告情報の収集と、（２）広告情報の提供とである。以下、それぞれの処理について説明する。
【００２８】
（１）広告情報の収集：
広告情報の収集は情報収集装置１００により行われる。情報収集装置１００には、電話網５０を介して電話通信を行うための電話番号が割り当てられ、この電話番号は広告主に対して公開される。情報収集装置１００の音声情報取得部１２０は、広告主からの前記電話番号への発信を受け付け、広告情報の登録処理を行う。広告主は、自身の企業または組織の電話番号が割り当てられた電話端末３００から、前述の電話番号に発信する。
【００２９】
以下に音声情報取得部１２０の広告情報の登録処理の詳細を、図４を用いて説明する。図４は広告情報の登録処理の流れを示す図である。先ず、広告主が広告登録用の電話番号に発信すると、音声情報取得部１２０は、電話通信部１１０を介して着信を受け付ける（ステップ１１）とともに、電話通信部１１０から、ステップＳ１１の着信の発信者番号を取得する（ステップＳ１２）。
【００３０】
次に、音声情報取得部は、ステップＳ１１の着信に発信者番号が付随しているか否かを確認し（ステップＳ１３）、付随していない場合は、電話通信部１１０を経由して発信者番号通知ありでの発信を求める音声メッセージを発信者に送信し、呼を切断し（ステップＳ１５）、処理を終了する
【００３１】
ステップＳ１１の着信に発信者番号が付随している場合、音声情報取得部１２０は、電話通信部１１０を経由して、発信者に対して、広告音声データの録音を促す音声メッセージを送信する（ステップＳ１４）。音声メッセージの内容の例としては、例えば、「こちらは広告メッセージの登録受付です。発信音の後に１分以内の広告音声メッセージを録音して下さい。」がある。
【００３２】
その後、音声情報取得部１２０は、発信者からの音声メッセージを録音し、音声データを取得する（ステップＳ１６）。次に、音声情報取得部１２０は、音声情報格納部１３０を参照し、ステップＳ１２で取得された発信者番号に対応する音声データが音声情報格納部１３０に格納されているか否かを確認する（ステップＳ１７）。格納されていない場合、音声情報取得部１２０は、ステップＳ１２で取得された発信者番号情報と、ステップＳ１６で取得された音声データの組を、音声情報格納部１３０に格納し（ステップＳ１８）、処理を終了する。格納されている場合には、音声情報取得部１２０は、ステップＳ１２で取得された発信者番号に対応する既存の音声データを、ステップＳ１６で取得された音声データに置き換え（ステップＳ１９）、処理を終了する。
【００３３】
以上の処理により、音声情報取得部１２０は、音声広告データと発信元の電話番号の組を格納する。一連の処理において、広告主からの電話への応対、音声データの登録作業は、情報収集装置１００により、自動的に行われ、広告配信側の人手を介する必要がない。
【００３４】
なお、上記の例では、情報収集装置１００は、広告主から、電話網５０を介した電話通信によって、広告情報の提供を受けているが、これに限られるものではない。例えば、ＶＯＩＰ（Voice Over Internet Protocol）のように、広告主が特別なＩＴ技術を意識することなく、音声によって広告情報を提供することができる網を介した通信によって、広告情報の提供を受けることも可能である。また、広告主に関連する情報（広告主関連情報）の一例として、端末４００の発信者電話番号を取得しているが、これに限られるものではない。例えば、ＩＰアドレスのような広告主に固有の情報を発信者電話番号の代わりに広告主関連情報として取得することも可能である。ＩＰアドレス等、発信者電話番号以外の広告主関連情報を取得した場合には、該広告主関連情報を電話番号に変換しても良い。これによって種々の広告主関連情報を、電話番号によって一元管理することが可能となる。
【００３５】
（２）広告情報の提供：
広告情報の提供は広告配信装置２００により行われる。情報収集装置１００の音声情報提供部１４０は、広告配信装置２００から電話番号の指定を受け、その電話番号に対応する音声広告データの有無を通知する機能及び電話番号の指定を受けてその電話番号に対応する音声広告データを送信する機能を有する。
【００３６】
具体的には、音声情報提供部１４０は、電話番号の指定を伴う音声情報有無確認要求を受けると、該電話番号に対応する音声情報を音声情報格納部１３０で検索し、対応する音声広告データの有無を通知する。また、音声情報提供部１４０は、電話番号の指定を伴う音声情報要求を受けると、この電話番号に対応する音声情報を音声情報格納部１３０で検索し、対応する音声広告データを送信する。
【００３７】
広告配信装置２００は、情報収集装置１００から提供される音声広告データを用いて、ネットワーク６０を介し、端末４００のユーザに対して広告サービスを提供する。以下に、広告サービス提供の具体的な方法を説明する。
【００３８】
第１の提供方法の例として、広告配信装置２００がユーザから電話番号の指定を受けて対応する広告主の広告データを提供する、という方法がある。広告情報検索提供部２１０は、例えば、図５に示されるような電話番号の指定を受けるためのコンテンツを端末４００に提供する。そして、ユーザから電話番号の指定を受けると、情報収集装置１００に対して、指定された電話番号に対応する音声広告データを要求し、その音声広告データを取得し、端末４００に送信する。
【００３９】
これにより、端末４００のユーザは、電話番号を指定して、その電話番号に対応する広告主の音声広告データを取得することができる。なお、端末４００が電話機能を有する場合、ユーザから事前に端末４００の電話番号情報を取得し、広告配信装置が音声広告データを送信する際に、端末４００に発信して音声広告データを再生する、という方法で音声広告データを送信してもよい。
【００４０】
第２の提供方法の例としては、事前に広告配信装置２００の広告主情報格納部２２０に、広告主の各種属性情報と電話番号情報を格納しておき、ユーザから広告主を特定可能な属性情報の指定を受けて対応する広告主の広告データを提供する、という方法がある。広告主の属性情報の例としては、名称、業種、所在エリア、所在地などがある。広告情報検索提供部２１０は、端末４００のユーザが広告主を検索、選択するための機能を含むコンテンツを提供する。広告主を検索、選択するための機能とは、具体的には、キーワード検索、条件による絞り込み検索、一覧表示などの機能である。
【００４１】
これらの機能に基づいて、端末４００のユーザから特定の広告主が選択されると、広告情報検索提供部２１０は、広告主情報格納部２２０から指定された広告主に対応する電話番号を検索し、次に、情報収集装置１００に対して、その電話番号に対応する音声広告データを要求し、その音声広告データを取得し、端末４００に送信する。これにより、端末４００のユーザは、広告主を指定してその音声広告データを取得することができる。
【００４２】
第３の提供方法の例として、広告配信装置２００が既存の何らかのコンテンツに広告データへのリンクを付随させて、端末４００に提供するという方法がある。例えば、Ｗｅｂコンテンツ内の電話番号を表す文字列を検索し、各電話番号文字列に対し、その電話番号に対応する広告データを要求するためのリンク情報を付加させる。リンク情報が付加されたＷｅｂコンテンツの例を、図６に示す。この例では、コンテンツ内に３つの電話番号情報が含まれており、各電話番号情報に「広告情報」というリンク情報が付随されている。
【００４３】
端末４００のユーザにより、このリンクが選択されると、広告情報検索提供部２１０は、情報収集装置１００に対して、リンクに対応する電話番号に対応する音声広告データを要求し、その音声広告データを取得し、端末４００に送信する。これにより、端末４００のユーザは、コンテンツ内のリンク情報を指定して、対応する広告主の音声広告データを取得することができる。
【００４４】
なお、この提供方法において、第２の提供方法と同様に、広告主情報格納部２２０に広告主の各種属性情報を格納しておき、既存のコンテンツの電話番号以外の広告主情報（例：広告主の名称）に音声広告データへのリンクを付随させてもよい。
【００４５】
以上、複数の例を述べたが、いずれの場合においても、広告配信装置２００側では、広告コンテンツは情報収集装置１００から取得するために、広告配信装置２００を運用する広告配信者が人手でコンテンツを収集する必要はない。
【００４６】
なお、上記の例では、広告配信装置２００は、端末４００に対して、Ｗｅｂコンテンツの形態で情報を提供していたが、コンテンツの形態はＷｅｂコンテンツの形態に限定されるものではなく、端末４００が認識可能な任意の形態であれば良いものである。
【００４７】
このように、本実施の形態では、広告コンテンツの収集作業を広告主からの電話により自動で登録させるようにしており、そのために、情報収集装置１００の運用側では、一旦電話番号を用意し、公開した後は、人手の作業を行うことなく、自動で広告情報が収集されることになる。また、広く普及している電話を用いているので、ＩＴ技術のない広告主であっても、簡易に広告登録をすることが可能である。また、詐称の困難な発信電話番号を用いて、広告主を識別することにより、第三者による広告情報の改変を防ぐことができる。以上のように、本実施の形態により、広告配信者が簡易に広告コンテンツを収集することが可能となるのである。
【００４８】
次に、本発明の他の実施の形態について説明する。上記の実施の形態では、音声情報提供部１４０は、広告配信装置２００からの要求に対して音声データをそのまま送信する、としていた。しかし、音声情報提供部１４０が音声データを送信する際に何らかの変換処理を加えた上で送信する、としてもよい。具体的には、例えば、音声認識処理により音声データをテキストデータに変換する、としてもよい。これにより、情報収集装置１００が、広告配信装置２００に対して、音声データ以外の形態での広告データを提供することが可能となる。
【００４９】
上記の実施の形態では、音声情報格納部１３０において、電話番号情報と音声データが１対１の対応で格納されていた。しかし、１つの音声データに複数の電話番号を対応付ける、としてもよい。具体的には、例えば、情報収集装置１００内に、図７の例に示されるように、電話番号の対応表を用意し、図４のステップＳ１２の処理及び広告配信装置２００からの要求を受け付けた時に電話番号を置き換えて処理を実行する、としてもよい。
【００５０】
この例では、“０４４１１１０００２”、“０４４１１１０００３”という電話番号は“０４４１１１０００１”に置き換えられ、“０４４２２２３３０２”という電話番号は“０４４２２２３３０１”に置き換えられて、処理される。これにより、“０４４１１１０００１”、“０４４１１１０００２”、“０４４１１１０００３”に共通の音声データを、“０４４２２２３３０１”、“０４４２２２３３０２”に共通の音声データを、それぞれ対応付けることが可能となる。このような仕組みにより、例えば、広告主が複数の電話番号を有する場合であっても、同じ広告データを対応付けることが可能となる。
【００５１】
なお、企業などの組織は、上記の実施の形態の情報収集装置を用いて、様々なサービスを提供することが可能である。例えば、組織甲が、情報収集装置を保有し、広告コンテンツを収集し、これらのコンテンツを、別の情報サービスを提供する組織乙に対して提供し、提供の対価を受けるというビジネスを行うことが可能である。
【００５２】
上記の各実施の形態における動作は、その動作手順を予めＲＯＭなどの記録媒体に格納しておき、これをコンピュータにより読取らせて実行させるように構成できることは明白である。
【図面の簡単な説明】
【００５３】
【図１】本発明の実施の形態の広告配信システムの主要構成を示すブロック図である。
【図２】本発明の実施の形態の情報収集装置の音声情報格納部に格納されるデータの一例を示す図である。
【図３】本発明の実施の形態の情報収集装置の音声情報格納部に格納されるデータの一例を示す図である。
【図４】本発明の実施の形態の広告配信システムにおいて行われる広告情報収集処理の流れを示すフローチャートである。
【図５】本発明の実施の形態の広告配信システムが提供する広告サービスの画面の例を示す図である。
【図６】本発明の実施の形態の広告配信システムが提供する広告サービスの画面の例を示す図である。
【図７】本発明の他の実施の形態で管理される電話番号対応表の例を示す図である。
【図８】従来の広告配信システムの概略構成を示すブロック図である。
【図９】従来の広告配信システムが提供する広告サービスの画面の例を示す図である。
【符号の説明】
【００５４】
５０  電話網
６０  ネットワーク
１００  情報収集装置
１１０  電話通信部
１２０  音声情報取得部
１３０  音声情報格納部
１４０  音声情報提供部
２００  広告配信装置
２１０  広告情報検索提供部
２２０  広告主情報格納部
３００  電話端末
４００  端末
【図１】
2008228275.tif 000003
【図２】
2008228275.tif 000004
【図３】
2008228275.tif 000005
【図４】
2008228275.tif 000006
【図５】
2008228275.tif 000007
【図６】
2008228275.tif 000008
【図７】
2008228275.tif 000009
【図８】
2008228275.tif 000010
【図９】
2008228275.tif 000011